(57)【要約】【課題】  石炭を石炭サイロからボイラまで搬送する搬送路上において、石炭と共に搬送された小石などのズリを除去する。【解決手段】  正極板２と負極板３との間に、除去用ベルトコンベア５のベルト６を配設し、正極板２の板面と負極板３の板面とに接触させながら移動させる。そして、供給口４から正極板２と負極板３との間に貯蔵物Ｍを供給すると、プラスに帯電した石炭Ｍ１が負極板３に吸引され、マイナスに帯電したズリＭ２が正極板２に吸引され、これらの石炭Ｍ１およびズリＭ２が、ベルト６によってそれぞれ石炭排出口８ｂおよびズリ排出口８ａから排出される。【選択図】  図１
2007046805.tif 000002
【特許請求の範囲】
【請求項１】
石炭火力発電所内の石炭サイロに貯蔵された石炭を主とする貯蔵物をボイラへ搬送する搬送路上に配設され、前記貯蔵物に混在された小石などのズリを除去するズリ除去装置であって、
プラス極性を有する正極板と、この正極板に対向しマイナス極性を有する負極板と、この正極板と負極板との間に前記貯蔵物を供給する供給手段と、前記正極板に吸引された前記ズリを除去する除去手段とを備えている、
ことを特徴とする石炭火力発電所におけるズリ除去装置。
【請求項２】
前記除去手段が、前記正極板と前記負極板との間を極板に沿って移動可能な移動体と、この移動体を前記正極板の板面に接触させながら前記正極板の端部に設けられたズリ排出口に移動させ、前記移動体を前記負極板の板面に接触させながら前記負極板の端部に設けられた石炭排出口に移動させる移動体駆動部とを備えている、
ことを特徴とする請求項１に記載の石炭火力発電所におけるズリ除去装置。
【請求項３】
石炭火力発電所内の石炭サイロに貯蔵された石炭を主とする貯蔵物をボイラへ搬送する搬送路上に配設され、前記貯蔵物に混在された小石などのズリを除去するズリ除去装置であって、
略円筒状の装置本体と、この装置本体内に空気を供給する空気供給源とを備え、前記装置本体の外周側から中心側に向って空気が渦巻き状に運動するように前記空気供給源から空気が供給され、前記装置本体内に前記貯蔵物を供給する供給手段が設けられ、前記装置本体の外周部にズリ排出口が設けられている、
ことを特徴とする石炭火力発電所におけるズリ除去装置。
【請求項４】
前記装置本体の中心部に石炭排出口が設けられている、
ことを特徴とする請求項３に記載の石炭火力発電所におけるズリ除去装置。
【請求項５】
石炭火力発電所内の石炭サイロに貯蔵された石炭を主とする貯蔵物をボイラへ搬送する搬送路上に配設され、前記貯蔵物に混在された小石などのズリを除去するズリ除去装置であって、
前記貯蔵物を収容するホッパーと、このホッパー内に空気を供給する空気供給源とを備え、前記ホッパーの底部に前記空気供給源からの空気が供給される空気供給部が設けられ、前記ホッパーの上部に石炭排出口が設けられている、
ことを特徴とする石炭火力発電所におけるズリ除去装置。
【請求項６】
前記ホッパーが略円筒形で、前記空気供給源からの空気が前記ホッパー内を旋回しながら上昇するように前記空気供給部が配設され、前記ホッパーの上部中心部に前記石炭排出口が設けられ、前記ホッパーの上部外周部にズリ排出口が設けられている、
ことを特徴とする請求項５に記載の石炭火力発電所におけるズリ除去装置。
【請求項７】
前記ホッパーの内壁に、凝集した貯蔵物をほぐす粉砕突起が設けられている、
ことを特徴とする請求項６に記載の石炭火力発電所におけるズリ除去装置。
【請求項８】
石炭火力発電所内の石炭サイロに貯蔵された石炭を主とする貯蔵物をボイラへ供給する石炭供給設備において、
前記貯蔵物を前記石炭サイロから前記ボイラへ搬送する搬送路上に、請求項１から７のいずれか１項に記載のズリ除去装置が配設されている、
ことを特徴とする石炭火力発電所における石炭供給設備。
【発明の詳細な説明】
【技術分野】
【０００１】
石炭火力発電所において、石炭を石炭サイロからボイラまで搬送する搬送路上に配設され、石炭と共に搬送された小石などのズリを除去することが可能なズリ除去装置に関する。
【背景技術】
【０００２】
石炭火力発電所では、船で運ばれた石炭を石炭サイロ（貯炭場）に貯蔵し、この石炭サイロに貯蔵された石炭をコンベア（搬送路）でバンカ（石炭供給ホッパー）に運び、バンカから供給された石炭を微紛炭機で粉末状にする。そして、この粉末状の石炭をボイラに投入して、燃焼させるものである。
【０００３】
一方、石炭は船で運ばれる前に選炭（選別）され、所定の石炭のみが石炭サイロに貯蔵され、燃焼されるようになっている。そして、この選炭には、いろいろな方法が知られている（例えば、特許文献１参照。）。例えば、特許文献１に記載された選炭は、水−石炭懸濁液を生成し、これに攪拌しながら炭化水素系の有機化合物を添加して、主に純粋な石炭で形成された集塊および主に無機性の固状物を含有する水性懸濁液を生成するものである。また、搬送された土砂などのズリの量を、搬送路上で高い精度で計測するズリ出し量計測装置が知られている（例えば、特許文献２参照。）。このズリ出し量計測装置は、搬送路（ベルトコンベア）上に光を照射し、照射されたズリを撮影して、その画像データに基づいてズリ量をコンピュータにて計測処理するものである。
【特許文献１】特開昭６３−１３４０６９号公報
【特許文献２】特開平０８−２４４９５４号公報
【発明の開示】
【発明が解決しようとする課題】
【０００４】
ところで、船で運ばれた石炭の中には小石などのズリが混入（混在）している場合がある。すなわち、上記特許文献１に記載されているような選炭では、小石などのズリが除去しきれずに、石炭の中に混入してしまう場合がある。そして、石炭の中にズリが混入していると、ズリによって微紛炭機のミルが損傷したり、ボイラの石炭消費量（燃焼不良）および灰発生量が増加してしまう。この石炭消費量の増加は、燃焼コストひいては発電コストの増加を招き、灰発生量の増加は、サイクロン（集塵機）に灰が付着する可能性を高めることとなる。また、上記特許文献２に記載されているようなズリ出し量計測装置では、ズリの量を搬送路上で高い精度で計測することができるものの、石炭と共に搬送されたズリを除去することはできない。
【０００５】
そこで本発明は、石炭を石炭サイロからボイラまで搬送する搬送路上において、石炭と共に搬送された小石などのズリを除去することが可能なズリ除去装置を提供することを目的とする。
【課題を解決するための手段】
【０００６】
上記目的を達成するために請求項１に記載の発明は、石炭火力発電所内の石炭サイロに貯蔵された石炭を主とする貯蔵物をボイラへ搬送する搬送路上に配設され、貯蔵物に混在された小石などのズリを除去するズリ除去装置であって、プラス極性を有する正極板と、この正極板に対向しマイナス極性を有する負極板と、この正極板と負極板との間に貯蔵物を供給する供給手段と、正極板に吸引されたズリを除去する除去手段とを備えていることを特徴としている。
（作用）
搬送路上の貯蔵物（石炭とズリ）は、搬送中における相互衝突によって摩擦帯電する。すなわち、石炭はプラス（陽極性）に帯電し、ズリはマイナス（陰極性）に帯電する。このように帯電した石炭とズリとは、供給手段によって正極板と負極板との間に供給され、正極板と負極板との静電気力によって、石炭は陰極板に吸引され、ズリは正極板に吸引される。そして、正極板に吸引されたズリが除去手段によって除去される。
【０００７】
請求項２に記載の発明は、請求項１に記載のズリ除去装置において、除去手段が、正極板と負極板との間を極板に沿って移動可能な移動体と、この移動体を正極板の板面に接触させながら正極板の端部に設けられたズリ排出口に移動させ、移動体を負極板の板面に接触させながら負極板の端部に設けられた石炭排出口に移動させる移動体駆動部とを備えていることを特徴としている。
（作用）
移動体が正極板の板面に接触しながら移動することで、正極板に吸引されたズリがズリ排出口に収集、移動され、移動体が負極板の板面に接触しながら移動することで、負極板に吸引された石炭が石炭排出口に収集、移動される。これにより、貯蔵物が石炭とズリとに分別可能となる。
【０００８】
請求項３に記載の発明は、石炭火力発電所内の石炭サイロに貯蔵された石炭を主とする貯蔵物をボイラへ搬送する搬送路上に配設され、貯蔵物に混在された小石などのズリを除去するズリ除去装置であって、略円筒状の装置本体と、この装置本体内に空気を供給する空気供給源とを備え、装置本体の外周側から中心側に向って空気が渦巻き状に運動するように空気供給源から空気が供給され、装置本体内に貯蔵物を供給する供給手段が設けられ、装置本体の外周部にズリ排出口が設けられていることを特徴としている。
（作用）
供給手段によって装置本体内に供給された貯蔵物は、渦巻き状に運動する空気によって渦巻き状に回転される。そして、比重の大きいズリは装置本体内の外周側に収束され、装置本体の外周部に設けられたズリ排出口から排出（除去）される。
【０００９】
請求項４に記載の発明は、請求項３に記載のズリ除去装置において、装置本体の中心部に石炭排出口が設けられていることを特徴としている。
（作用）
渦巻き状に運動する空気によって、比重の小さい石炭は装置本体内の中心側に収束され、装置本体の中心部に設けられた石炭排出口から排出される。これにより、貯蔵物が石炭とズリとに分別可能となる。
【００１０】
請求項５に記載の発明は、石炭火力発電所内の石炭サイロに貯蔵された石炭を主とする貯蔵物をボイラへ搬送する搬送路上に配設され、貯蔵物に混在された小石などのズリを除去するズリ除去装置であって、貯蔵物を収容するホッパーと、このホッパー内に空気を供給する空気供給源とを備え、ホッパーの底部に空気供給源からの空気が供給される空気供給部が設けられ、ホッパーの上部に石炭排出口が設けられていることを特徴としている。
（作用）
空気供給部からの空気によってホッパー内の貯蔵物が浮揚し、比重の小さい石炭は比重の大きいズリよりも上方に浮揚する。そして、ホッパーの上部に設けられた石炭排出口から石炭が排出され、下方のズリが除去可能となる。
【００１１】
請求項６に記載の発明は、請求項５に記載のズリ除去装置において、ホッパーが略円筒形で、空気供給源からの空気がホッパー内を旋回しながら上昇するように空気供給部が配設され、ホッパーの上部中心部に石炭排出口が設けられ、ホッパーの上部外周部にズリ排出口が設けられていることを特徴としている。
（作用）
空気がホッパー内を旋回しながら上昇することで、ホッパー内の貯蔵物も旋回しながら上昇する。そして、比重の大きいズリはホッパー内の外周側に収束され、ホッパーの上部外周部に設けられたズリ排出口から排出（除去）される。また、比重の小さい石炭はホッパー内の中心側に収束され、ホッパーの上部中心部に設けられた石炭排出口から排出される。
【００１２】
請求項７に記載の発明は、請求項６に記載のズリ除去装置において、ホッパーの内壁に、凝集した貯蔵物をほぐす粉砕突起が設けられていることを特徴としている。
（作用）
石炭サイロでの貯蔵中や搬送中に貯蔵物が凝集したとしても、粉砕突起によって凝集した貯蔵物がほぐされ、石炭とズリとに分別可能となる。
【００１３】
請求項８に記載の発明は、石炭火力発電所内の石炭サイロに貯蔵された石炭を主とする貯蔵物をボイラへ供給する石炭供給設備において、貯蔵物を石炭サイロからボイラへ搬送する搬送路上に、請求項１から７のいずれか１項に記載のズリ除去装置が配設されていることを特徴としている。
（作用）
ズリ除去装置によって貯蔵物中のズリが除去され、石炭のみがボイラに供給可能となる。
【発明の効果】
【００１４】
本発明によれば、搬送路上に配設されるズリ除去装置によって、搬送路上の石炭（貯蔵物）に混在されている小石などのズリを除去することが可能となる。この結果、ズリによって微紛炭機のミルが損傷することや、ボイラの石炭消費量や灰発生量が増加することなどを防止することができる。
【発明を実施するための最良の形態】
【００１５】
以下、本発明を図示の実施形態に基づいて説明する。
〈実施形態１〉
図１は、本実施形態に係る石炭火力発電所におけるズリ除去装置１の概略構成図である。このズリ除去装置１は、正極板２と負極板３および、供給口４（供給手段）と除去用ベルトコンベア５（除去手段）とを備えている。
【００１６】
正極板２はプラスの極性を有し、負極板３はマイナスの極性を有して、正極板２と負極板３とが対向（平行）するように配設されている。また、正極板２の中央部に供給口４が形成され、後述するように、この供給口４から貯蔵物Ｍが、正極板２と負極板３との間に供給されるようになっている。なお、正極板２と負極板３とに極性を付与する極性電源（図示せず）が備わっている。
【００１７】
除去用ベルトコンベア５は、凹凸上の面を有する格子状のベルト６（移動体）と、このベルト６を回転駆動させるベルト駆動部７（移動体駆動部）とから構成されている。すなわち、一対の第１プーリ７ａ、７ａにベルト６が環状に張られ、各第１プーリ７ａ、７ａの近傍下方に、ベルト６への張力（テンション）を調整するための第２プーリ７ｂ、７ｂが、ベルト６をやや押し上げるように配設されている。そして、ベルト６が正極板２と負極板３との間に配設され、ベルト６が正極板２の板面と負極板３の板面とに接触しながら連続的に移動（環状運動）するようになっている。また、ベルト６の両端部および第１プーリ７ａ、第２プーリ７ｂを覆うコンベアカバー８が設けられ、図中左側のコンベアカバー８の下方にはズリ排出口８ａが形成され、図中右側のコンベアカバー８の下方には石炭排出口８ｂが形成されている。
【００１８】
このような構成のズリ除去装置１が、図２に示すような石炭火力発電所における石炭供給設備１０に配設されている。この石炭供給設備１０は、石炭サイロ１１とバンカ１２と微紛炭機１３および、石炭搬送コンベア１４（搬送路）とを備えている。
【００１９】
石炭サイロ１１は、船で運ばれた石炭Ｍ１を貯蔵するための貯炭場であり、この石炭サイロ１１内には主として石炭Ｍ１が貯蔵されているが、船で運ばれた石炭Ｍ１の中には、小石や粘土など（鉱物粒子）のズリＭ２が混入している場合がある。このため、石炭Ｍ１にズリＭ２が混在した貯蔵物Ｍが貯蔵されていると言える。バンカ１２は、石炭搬送コンベア１４によって搬送されてきた石炭Ｍ１（貯蔵物Ｍ）を一時的に収容し、微紛炭機１３に供給するための石炭供給用ホッパーである。微紛炭機１３は、バンカ１２から供給された石炭Ｍ１（貯蔵物Ｍ）をミルによって粉末状に粉砕する。そして、粉末状の石炭Ｍ１（貯蔵物Ｍ）がボイラＢに投入されて、燃焼されるものである。なお、本実施形態では、ボイラＢはＰＦＢＣ（Ｐｒｅｓｓｕｒｉｚｅｄ  Ｆｌｕｉｄｚｉｅｄ  Ｂｅｄ  Ｃｏｍｂｕｓｔｉｏｎ；加圧流動床燃焼）ボイラである。
【００２０】
また、石炭搬送コンベア１４は、防塵カバーを備えたコンベア（スクリュコンベアやエプロンコンベアなど）で、貯蔵物Ｍ（石炭Ｍ１）を石炭サイロ１１からバンカ１２まで搬送するものである。そして、この石炭搬送コンベア１４上で石炭サイロ１１の近傍に、ズリ除去装置１が配設されている。すなわち、石炭搬送コンベア１４の上流側（石炭サイロ１１側）がズリ除去装置１の供給口４に接続され、ズリ除去装置１の石炭排出口８ｂが石炭搬送コンベア１４の下流側（バンカ１２側）に接続されている。そして、後述するように、石炭サイロ１１からの貯蔵物Ｍが石炭搬送コンベア１４を介してズリ除去装置１の供給口４に供給され、ズリ除去装置１によってズリＭ２が除去されて、石炭Ｍ１が石炭排出口８ｂから石炭搬送コンベア１４に戻されるようになっている。
【００２１】
次に、このような構成のズリ除去装置１および石炭供給設備１０の動作について説明する。
【００２２】
まず、石炭サイロ１１から貯蔵物Ｍが、石炭搬送コンベア１４によってズリ除去装置１に供給される。すなわち、ズリ除去装置１の供給口４に貯蔵物Ｍが供給され、この貯蔵物Ｍが除去用ベルトコンベア５のベルト６上に供給される。このとき、貯蔵物Ｍ中の石炭Ｍ１とズリＭ２とは、石炭搬送コンベア１４による搬送中における相互衝突によって摩擦帯電されている。この帯電は、未燃焼炭素粒子（石炭Ｍ１）とその他の鉱物粒子（ズリＭ２）とが接触した場合に、粒子表面の物理的性状および化学的性状が異なるために、未燃焼炭素粒子とその他の鉱物粒子とが相反する電荷に帯電するものである。つまり、石炭Ｍ１とズリＭ２との場合、石炭Ｍ１がプラス（陽極性）に帯電し、ズリＭ２がマイナス（陰極性）に帯電される。そして、このように帯電した石炭Ｍ１とズリＭ２とは、図３に示すように、正極板２と負極板３との静電気力によって、石炭Ｍ１は陰極板３に吸引され、ズリＭ２は正極板２に吸引される。これにより、貯蔵物Ｍが石炭Ｍ１とズリＭ２とに分別される。
【００２３】
一方、除去用ベルトコンベア５のベルト６が、正極板２の板面と負極板３の板面とに接触しながら、図１上反時計回りに移動している。そして、このベルト６の移動によって、正極板２に吸引されたズリＭ２がズリ排出口８ａ側に収集（かき採られ）、移動され、ズリ排出口８ａから排出（除去）される。なお、ズリ排出口８ａから排出されたズリＭ２は、ズリ収容器（図示せず）に収容されるようになっている。同様に、ベルト６の移動によって、負極板３に吸引された石炭Ｍ１が石炭排出口８ｂから排出され、石炭搬送コンベア１４の下流側に供給される。これにより、貯蔵物Ｍ中のズリＭ２が除去され、石炭Ｍ１のみが石炭搬送コンベア１４に戻されることとなる。その後、石炭Ｍ１は石炭搬送コンベア１４によってバンカ１２に運ばれ、微紛炭機１３で粉末状にされて、ボイラＢによって燃焼される。
【００２４】
このように、本ズリ除去装置１が石炭搬送コンベア１４上に配設されているため、貯蔵物Ｍ中のズリＭ２を除去し、石炭Ｍ１のみをバンカ１２側に搬送することが可能となる。この結果、ズリＭ２によって微紛炭機１３のミルが損傷することや、ボイラＢの炉底にズリＭ２が堆積して炉底抜き出し量や石炭消費量、灰発生量などが増加し流動層が停滞することなどを防止することが可能となる。また、貯蔵物Ｍは除去用ベルトコンベア５によって移動されている間にも、摩擦帯電と静電気力による移動（正極板２と負極板３との間の移動）を繰り返しているため、本ズリ除去装置１の中で多段の分別が行われていることになる。このため、石炭Ｍ１とズリＭ２とをより正確に（確実に）分別することが可能となり、さらに、一度本ズリ除去装置１に貯蔵物Ｍを供給するだけで、効率的にズリＭ２を除去することが可能となる。
【００２５】
ところで、本実施形態では、除去手段として、上記のような除去用ベルトコンベア５を備えているが、陰極板３に吸引された石炭Ｍ１および、正極板２に吸引されたズリＭ２を採取（除去）できるものであれば、その他の部材、駆動機構等であってもよい。さらに、供給口４を供給手段としているが、マニピュレータなどを供給手段とし、石炭搬送コンベア１４上の貯蔵物Ｍを直接正極板２と負極板３との間に供給するようにしてもよい。
〈実施形態２〉
図４は、本実施形態に係る石炭火力発電所におけるズリ除去装置２１の概略構成図である。このズリ除去装置２１は、装置本体２２と、この装置本体２２内に圧縮空気（空気）を供給するコンプレッサー２３（空気供給源）とを備えている。
【００２６】
装置本体２２は高さが低い略円筒形で、渦巻ポンプのような形状をしており、コンプレッサー２３からの圧縮空気を受けるための空気口２２ａを備えている。また、図４（ｂ）に示すように、装置本体２２内には、中心に向って山形に形成された山形ガイド２２ｂが設けられ、空気口２２ａから供給された圧縮空気が、装置本体２２内の外周側から中心側に向って渦巻き状に上昇回転（運動）するようになっている。さらに、装置本体２２の上部外周部には、貯蔵物Ｍを装置本体２２内に供給するための供給口２２ｃ（供給手段）が設けられ、装置本体２２の上部中心部には、石炭排出口２２ｄが設けられている。また、装置本体２２の下部外周部で供給口２２ｃに対向する位置には、ズリ排出口２２ｅが設けられている。
【００２７】
このような構成のズリ除去装置２１が、実施形態１で説明した石炭供給設備１０と同様の石炭供給設備に配設されている。すなわち、石炭搬送コンベア１４の上流側が本ズリ除去装置２１の供給口２２ｃに接続され、本ズリ除去装置２１の石炭排出口２２ｄが石炭搬送コンベア１４の下流側に接続された状態で、本ズリ除去装置２１が配設されている。
【００２８】
次に、このような構成のズリ除去装置２１の動作について説明する。
【００２９】
まず、コンプレッサー２３を稼働し、装置本体２２内に圧縮空気が供給されと、上記のように、圧縮空気が装置本体２２内の外周側から中心側（石炭排出口２２ｄ）に向って渦巻き状に上昇回転する。この状態で、石炭サイロ１１からの貯蔵物Ｍが、石炭搬送コンベア１４によってズリ除去装置２１の供給口２２ｃに供給される。すると、圧縮空気の渦巻き上昇回転に伴って、貯蔵物Ｍも渦巻き状に上昇回転する。この回転（遠心運動）によって、小石などのズリＭ２は石炭Ｍ１よりも比重が大きいため、山形ガイド２２ｂを上昇せずに装置本体２２内の外周側下方に収束される。一方、比重の小さい石炭Ｍ１は装置本体２２内の中心側上方に収束される。そして、外周側下方に収束されたズリＭ２はズリ排出口２２ｅから排出（除去）され、中心側上方に収束された石炭Ｍ１は石炭排出口２２ｄから排出される。これにより、貯蔵物Ｍが石炭Ｍ１とズリＭ２とに分別される。その後の動作は、実施形態１と同様であるため、説明を省略する。
【００３０】
このように、本ズリ除去装置２１によれば、貯蔵物Ｍ中のズリＭ２を除去し、石炭Ｍ１のみをバンカ１２側に搬送することが可能となる。なお、本ズリ除去装置２１は、上記のように、石炭Ｍ１とズリＭ２との比重の違いを利用して、貯蔵物Ｍを石炭Ｍ１とズリＭ２とに分別しているが、例えば、砂の比重は約１．９で、石炭の比重は粒状で約１．０、塊状で約０．８である。
〈実施形態３〉
図５は、本実施形態に係る石炭火力発電所におけるズリ除去装置３１の概略構成図である。このズリ除去装置３１は、貯蔵物Ｍを一時的に収容するホッパー３２と、このホッパー３２内に圧縮空気（空気）を供給するコンプレッサー３３（空気供給源）とを備えている。
【００３１】
ホッパー３２は胴部３２ａが円筒形で、上部３２ｂと底部３２ｃとが略円錐形で、その頂部が胴部３２ａの中心に向うようになっている。ホッパー３２の底部３２ｃには、コンプレッサー３３からの圧縮空気をホッパー３２内に供給するためのエアーノズル３４（空気供給部）が複数配設されている。このエアーノズル３４は、圧縮空気がホッパー３２内を旋回しながら上昇するように配設されている。また、ホッパー３２の上部３２ｂには、中心部に石炭排出口３２ｄが設けられ、外周部にズリ排出口３２ｅが設けられている。さらに、ホッパー３２の胴部３２ａの下方には、貯蔵物Ｍをホッパー３２内に供給するための供給口３２ｆが設けられ、胴部３２ａの内壁には粉砕突起３２ｇが複数設けられている。この粉砕突起３２ｇは、胴部３２ａの軸方向に延びる三角柱状で、凝集した貯蔵物Ｍをほぐす（粉砕する）ものである。
【００３２】
このような構成のズリ除去装置３１が、実施形態１で説明した石炭供給設備１０と同様の石炭供給設備に配設されている。すなわち、石炭搬送コンベア１４の上流側が本ズリ除去装置３１の供給口３２ｆに接続され、本ズリ除去装置３１の石炭排出口３２ｄが石炭搬送コンベア１４の下流側に接続された状態で、本ズリ除去装置３１が配設されている。
【００３３】
次に、このような構成のズリ除去装置３１の動作について説明する。
【００３４】
まず、コンプレッサー３３を稼働し、ホッパー３２内に圧縮空気が供給されと、上記のように、圧縮空気がホッパー３２内を旋回しながら上昇する。この状態で、石炭サイロ１１からの貯蔵物Ｍが、石炭搬送コンベア１４によってズリ除去装置３１の供給口３２ｆに供給される。すると、圧縮空気の旋回上昇に伴って、貯蔵物Ｍも旋回しながら上昇する。この旋回（遠心運動）によって、小石などの比重が大きいズリＭ２はホッパー３２内の外周側上方に収束され、比重の小さい石炭Ｍ１はホッパー３２内の中心側上方に収束される。そして、外周側上方に収束されたズリＭ２はズリ排出口３２ｅから排出（除去）され、中心側上方に収束された石炭Ｍ１は石炭排出口３２ｄから排出される。これにより、貯蔵物Ｍが石炭Ｍ１とズリＭ２とに分別される。さらに、凝集した貯蔵物Ｍがズリ除去装置３１に供給されたとしても、凝集した貯蔵物Ｍが粉砕突起３２ｇに当ってほぐされ、石炭Ｍ１とズリＭ２とに分別可能となる。その後の動作は、実施形態１と同様である。
【００３５】
このように、本ズリ除去装置３１によれば、貯蔵物Ｍ中のズリＭ２を除去し、石炭Ｍ１のみをバンカ１２側に搬送することが可能となる。ところで、本実施形態では、上記のように、圧縮空気の旋回によって石炭Ｍ１とズリＭ２とに分別しているが、分別（除去）すべきズリＭ２の大きさ、重さなどによっては、空気による浮揚力のみによって分別するようにしてもよい。すなわち、ホッパーの底部から上方に空気を供給し、この空気によって上方に浮揚した比重の小さい石炭Ｍ１を、ホッパーの上部に設けた石炭排出口から排出する。一方、ホッパーの下方に位置する（沈んだ）比重の大きいズリＭ２を、当該下方から排出（除去）するようにしてもよい。
【図面の簡単な説明】
【００３６】
【図１】実施形態１に係るズリ除去装置の概略構成断面図。
【図２】実施形態１に係るズリ除去装置が配設された石炭供給設備の概略構成図。
【図３】実施形態１に係るズリ除去装置によって、貯蔵物を石炭とズリとに分別する状態を示す断面図。
【図４】実施形態２に係るズリ除去装置の概略構成図であり、（ａ）は平面図、（ｂ）は正面図。
【図５】実施形態３に係るズリ除去装置の概略構成断面図。
【符号の説明】
【００３７】
１          ズリ除去装置
２          正極板
３          負極板
４          供給口（供給手段）
５          除去用ベルトコンベア（除去手段）
６          ベルト（移動体）
７          ベルト駆動部（移動体駆動部）
８          コンベアカバー
８ａ        ズリ排出口
８ｂ        石炭排出口
１０        石炭供給設備
１１        石炭サイロ
１２        バンカ
１３        微紛炭機
１４        石炭搬送コンベア（搬送路）
２１        ズリ除去装置
２２        装置本体
２３        コンプレッサー（空気供給源）
３１        ズリ除去装置
３２        ホッパー
３３        コンプレッサー（空気供給源）
３４        エアーノズル（空気供給部）
Ｍ          貯蔵物
Ｍ１        石炭
Ｍ２        ズリ（小石など）
Ｂ          ボイラ
【図１】
2007046805.tif 000003
【図２】
2007046805.tif 000004
【図３】
2007046805.tif 000005
【図４】
2007046805.tif 000006
【図５】
2007046805.tif 000007